(57)【要約】【課題】セラミックカートリッジに液体が浸入することを抑制する。【解決手段】水栓用ハンドル３０は、傾動させることにより吐出状態を変更する操作軸２１に取り付けて用いられる。上面側に凹部６１を有するハンドル本体５０と、凹部６１内に設けられる挿通孔６３を通じて、ハンドル本体５０をハンドル本体５０の下面側の操作軸２１に固定する固定部材とを備え、ハンドル本体５０は、凹部６１とハンドル本体５０の下面側とを連通する水抜き孔を有するとともに、ハンドル本体５０の下面側には、水抜き孔を通過した液体を操作軸２１から離れる方向に誘導する誘導部が設けられている。【選択図】図９
2020063636.tif 000002
【特許請求の範囲】
【請求項１】
傾動させることにより吐出状態を変更する操作軸に取り付けて用いられる水栓用ハンドルにおいて、
上面側に凹部を有するハンドル本体と、
前記凹部内に設けられる挿通孔を通じて、前記ハンドル本体を前記ハンドル本体の下面側の前記操作軸に固定する固定部材とを備え、
前記ハンドル本体は、前記凹部と前記ハンドル本体の下面側とを連通する水抜き孔を有するとともに、前記ハンドル本体の下面側には、前記水抜き孔を通過した液体を前記操作軸から離れる方向に誘導する誘導部が設けられていることを特徴とする水栓用ハンドル。
【請求項２】
前記誘導部は、横長に構成され、長手方向に直交する断面がＵ字状の溝形状を有する請求項１に記載の水栓用ハンドル。
【請求項３】
前記誘導部は、前記ハンドル本体とは別体の誘導部材で構成されている請求項１又は２に記載の水栓用ハンドル。
【請求項４】
前記ハンドル本体の下面側に着脱可能に取り付けられて前記操作軸を保持する保持部を有し、前記誘導部材は、前記ハンドル本体の下面と前記保持部との間に挟持されている請求項３に記載の水栓用ハンドル。
【請求項５】
傾動させることにより吐出状態を変更する操作軸を有する水栓本体と、請求項１〜４のいずれか一項に記載された水栓用ハンドルとを備えた水栓。
【発明の詳細な説明】
【技術分野】
【０００１】
本発明は、水栓用ハンドル及び水栓に関する。
【背景技術】
【０００２】
特許文献１には、水栓用ハンドルについて記載されている。
図１３に示すように、水栓用ハンドル９０は、ネジ（図示省略）とキャップ９１を取り付ける凹入した装着部９２が設けられたハンドル本体９３を備えている。装着部９２には、ネジ孔９２ａと係止孔９２ｂとが設けられており、ネジ孔９２ａにネジを挿通させた状態で、ハンドル本体９３は、ハンドル本体９３の下面側の操作軸（図示省略）に固定される。また、キャップ９１の係止片９１ａが装着部９２の係止孔９２ｂに係止することによって、キャップ９１は装着部９２に取り付けられる。ネジ孔９２ａと係止孔９２ｂの周囲は隔壁９４で囲まれており、この隔壁９４によって、ネジ孔９２ａと係止孔９２ｂに液体が浸入することが抑制されている。
【先行技術文献】
【特許文献】
【０００３】
【特許文献１】特開２０１７−４８６４４号公報
【発明の概要】
【発明が解決しようとする課題】
【０００４】
特許文献１の水栓用ハンドル９０では、キャップ９１と隔壁９４の隙間から係止孔９２ｂに液体が浸入した場合、液体は、係止孔９２ｂを通過して下方の弁装置（セラミックカートリッジ）に浸入する虞があった。弁装置に液体が浸入することにより、操作軸の操作が重くなる虞があった。本発明は、こうした実情に鑑みてなされたものであり、その目的は、水栓本体に取り付けて用いた際に、セラミックカートリッジに液体が浸入することを抑制することができる水栓用ハンドルを提供することにある。
【課題を解決するための手段】
【０００５】
上記課題を解決するための水栓用ハンドルは、傾動させることにより吐出状態を変更する操作軸に取り付けて用いられる水栓用ハンドルにおいて、上面側に凹部を有するハンドル本体と、前記凹部内に設けられる挿通孔を通じて、前記ハンドル本体を前記ハンドル本体の下面側の前記操作軸に固定する固定部材とを備え、前記ハンドル本体は、前記凹部と前記ハンドル本体の下面側とを連通する水抜き孔を有するとともに、前記ハンドル本体の下面側には、前記水抜き孔を通過した液体を前記操作軸から離れる方向に誘導する誘導部が設けられていることを要旨とする。
【０００６】
この構成によれば、水抜き孔を通過した液体を操作軸から離れる方向に誘導する誘導部が設けられていることにより、ハンドル本体の下方に位置するセラミックカートリッジに液体が浸入することを抑制することができる。そのため、セラミックカートリッジに液体が浸入することによって操作軸の操作が重くなることを抑制することができる。
【０００７】
上記水栓用ハンドルについて、前記誘導部は、横長に構成され、長手方向に直交する断面がＵ字状の溝形状を有することが好ましい。この構成によれば、誘導部によって、水抜き孔を通過した液体をより確実に操作軸から離れる方向に誘導することができる。
【０００８】
上記水栓用ハンドルについて、前記誘導部は、前記ハンドル本体とは別体の誘導部材で構成されていることが好ましい。この構成によれば、ハンドル本体に対して誘導部材を後付けすることが可能になるため、誘導部を効率良く設けることができる。
【０００９】
上記水栓用ハンドルについて、前記ハンドル本体の下面側に着脱可能に取り付けられて前記操作軸を保持する保持部を有し、前記誘導部材は、前記ハンドル本体の下面と前記保持部との間に挟持されていることが好ましい。この構成によれば、誘導部材をハンドル本体に容易に取り付けることができる。
【００１０】
傾動させることにより吐出状態を変更する操作軸を有する水栓本体と、上記水栓用ハンドルとを備えた水栓であることが好ましい。この構成によれば、上記水栓用ハンドルの効果を奏する水栓とすることができる。
【発明の効果】
【００１１】
本発明の水栓用ハンドルによれば、セラミックカートリッジに液体が浸入することを抑制することができる。
【図面の簡単な説明】
【００１２】
【図１】水栓の斜視図。
【図２】水栓の側面側部分断面図。
【図３】図２の３−３線部分断面図。
【図４】ハンドル本体の平面図。
【図５】ハンドル本体の底面図。
【図６】蓋部材の斜視図。
【図７】保持部の（ａ）は斜視図、（ｂ）は（ｃ）のｂ−ｂ線断面図、（ｃ）は底面図。
【図８】誘導部材の（ａ）は斜視図、（ｂ）は側面図。
【図９】水が通過した状態における水栓の側面側部分断面図。
【図１０】水が通過した状態における水栓の正面側部分断面図。
【図１１】変更例の誘導部材の斜視図。
【図１２】別の変更例の誘導部材の斜視図。
【図１３】従来技術の水栓用ハンドルの斜視図。
【発明を実施するための形態】
【００１３】
水栓用ハンドルの実施形態を説明する。
図１、２に示すように、水栓１０は、洗面化粧台のデッキ面を構成する壁部１１に設置されている。水栓１０は、水栓本体２０と水栓本体２０の上部に取り付けられた水栓用ハンドル３０とを備えており、水栓用ハンドル３０を操作することによって、水栓本体２０の操作軸２１を傾動させることができるように構成されている。水栓本体２０の操作軸２１を傾動させることにより、吐水管（図示省略）から吐出される水の吐出状態を変更することができるように構成されている。
【００１４】
水栓本体について説明する。
図２に示すように、水栓本体２０は、円筒状のカバー２２と、カバー２２内に配置されたセラミックカートリッジ２３とを備える。カバー２２は、上端側の端部に、カバー２２の軸方向中央側よりも外径が小さい縮径部２２ａを有するとともに、上端側の端部に開口２２ｂを有している。縮径部２２ａを有することによって、水栓用ハンドル３０を操作した際に、後述する水栓用ハンドル３０の筒体部３１が、水栓本体２０のカバー２２に干渉することが抑制されている。セラミックカートリッジ２３は、弁部材（図示省略）と、弁部材に連結された操作軸２１とを備える。操作軸２１は、先端側が角柱状に構成されており、先端側の端面に後述する固定部材としてのネジ４０と螺合するネジ孔２１ａが設けられている。セラミックカートリッジ２３がカバー２２内に配置された状態において、操作軸２１の先端側は、カバー２２の上端側の開口２２ｂから突出している。
【００１５】
水栓用ハンドル３０について説明する。
図２、３に示すように、水栓用ハンドル３０は、円筒状の筒体部３１と、天板部６０と、レバー部３２とを有するハンドル本体５０を備えている。筒体部３１、天板部６０及びレバー部３２は、一体に構成されており、レバー部３２は、天板部６０から斜め上方に突出した状態で設けられている。また、水栓用ハンドル３０は、天板部６０の上面６０ａ側に取り付けられる蓋部材３３と、天板部６０の下面６０ｂ側に取り付けられる保持部としての保持部材７０と、ハンドル本体５０を水栓本体２０に固定する固定部材としてのネジ４０とを備えている。
【００１６】
ここで、「上面６０ａ側」及び「下面６０ｂ側」は、鉛直方向に沿った天板部６０の上面側及び下面側に限定されない。すなわち、天板部６０が傾斜しており、天板部６０の上面６０ａ側及び下面６０ｂ側が、鉛直方向に対して傾斜している態様を含むものとする。
【００１７】
水栓用ハンドル３０を構成するハンドル本体５０、蓋部材３３、ネジ４０及び保持部材７０の材質は特に限定されず、金属や樹脂を採用することができる。樹脂を採用する場合、表面にメッキを施すことによって、意匠性を向上させることができる。
【００１８】
ハンドル本体５０の天板部６０について説明する。
図４、５に示すように、天板部６０は、円板状に構成されている。天板部６０の上面６０ａ側には、天板部６０の下面６０ｂ側に向かって窪んだ凹部６１が形成されている。この凹部６１は、略長方形状の開口部６１ａを有し、凹部６１の深さ方向に沿って略同一形状に構成されている。凹部６１の深さは、天板部６０の厚さよりも大きく構成されている。そのため、天板部６０の下面６０ｂ側には、上面６０ａ側に形成された凹部６１に由来する凸部６２が形成されている。凹部６１の底を構成する底壁６１ｂの上面６１ｃは平面で構成されており、中央部に円形状の挿通孔６３が設けられている。この挿通孔６３にネジ４０が挿通されて、操作軸２１のネジ孔２１ａに螺合することによって、水栓用ハンドル３０は、水栓本体２０に固定される。
【００１９】
図４、５に示すように、凹部６１の底壁６１ｂには、断面矩形状の貫通孔６４が設けられている。この貫通孔６４は、開口部６１ａの長手方向における凹部６１の一端側に設けられており、開口部６１ａの短手方向に沿って２個並設されている。この貫通孔６４は、天板部６０の下面６０ｂ側に連通しており、凹部６１内に浸入した水等の液体を抜く水抜き孔として機能する。水抜き孔で抜く液体は、水に限定されず、液状の石鹸や洗剤等であってもよい。
【００２０】
図２に示すように、貫通孔６４は、ハンドル本体５０の筒体部３１の軸方向に沿って延びており、凹部６１の底壁６１ｂの上面６１ｃから下面６１ｄに至る経路中に、筒体部３１の径方向外側に屈曲する屈曲部６４ａを有する。この屈曲部６４ａに、後述する蓋部材３３の係合片３３ｂが係合することによって、蓋部材３３は凹部６１を覆う位置に取り付けられる。そのため、貫通孔６４の屈曲部６４ａは、蓋部材３３の係合部が係合する被係合部としても機能する。
【００２１】
図２、５に示すように、凹部６１の底壁６１ｂの下面６１ｄには、筒体部３１の軸方向に延びるとともに、挿通孔６３を挟んで対向する対向壁６５が設けられている。対向壁６５は、開口部６１ａの長手方向に沿って並設されるとともに、互いの壁面が略平行となるように配置されている。
【００２２】
凹部６１の底壁６１ｂの下面６１ｄには、挿通孔６３の周囲に窪み６６が４個設けられている。この窪み６６は、底壁６１ｂの上面６１ｃ側に向かって窪むように構成されており、後述する保持部材７０の突起７１ｃが挿入する被挿入部として機能する。
【００２３】
図３、５に示すように、ハンドル本体５０の筒体部３１の内周には、挿通孔６３を挟んで対向する位置に筒体部３１の径方向内側に突出した突出壁３１ａが２個設けられている。この突出壁３１ａは、後述する保持部材７０の腕部７３が係止する被係止部として機能する。
【００２４】
蓋部材３３について説明する。
図６に示すように、蓋部材３３は、略長方形状の板材で構成される被覆部３３ａと、被覆部３３ａの長手方向一端側の端部から被覆部の厚さ方向に突出する板状の係合片３３ｂを有する。係合片３３ｂは、被覆部３３ａの短手方向に沿って２個並列している。各係合片３３ｂの先端には、係合片３３ｂの厚さ方向である被覆部３３ａの長手方向一端側に突出した爪部３３ｃが設けられている。この爪部３３ｃが、天板部６０の凹部６１の貫通孔６４に設けられた屈曲部６４ａに係合することにより、蓋部材３３は、天板部６０の凹部６１を覆う位置に取り付けられる。そのため、係合片３３ｂと爪部３３ｃとによって係合部が構成されている。蓋部材３３が取り付けられた状態において、蓋部材３３の被覆部３３ａが、天板部６０の凹部６１を被覆した状態となる。この状態で、蓋部材３３の全体が天板部６０の凹部６１に収容された状態となり、被覆部３３ａの上面が、天板部６０の上面６０ａと略面一となるように構成されている。
【００２５】
図６に示すように、蓋部材３３の被覆部３３ａにおける長手方向一端側の端部には、被覆部３３ａの長手方向他端側に向かって凹んだ切欠き部３３ｄが形成されている。この切欠き部３３ｄは、ハンドル本体５０の天板部６０から蓋部材３３を取り外す際に、取り外し用の工具を挿入する挿入口として機能する。
【００２６】
保持部材７０について説明する。
図７（ａ）に示すように、保持部材７０は、柱状の本体部７１を有している。本体部７１の上面７１ａ中央部には、円形状の外形を有する周壁７１ｂが突出した状態で設けられている。周壁７１ｂの内部には、本体部７１を軸方向である上下方向に貫通する孔部７２が設けられている。周壁７１ｂの外径は、天板部６０の挿通孔６３の内径よりも若干小さく構成されている。また、周壁７１ｂの高さは、天板部６０の凹部６１における底壁６１ｂの厚さと略等しく構成されている。本体部７１の上面７１ａの四隅には、上方に突出した突起７１ｃが形成されている。
【００２７】
本体部７１の上面７１ａにおける孔部７２を挟んだ両側には、本体部７１の斜め上方に延びる腕部７３が設けられている。各腕部７３は、互いに離間する方向に延びている。各腕部７３の先端側は、本体部７１の上面７１ａ側に近づく方向に湾曲する湾曲部７３ａを備えている。
【００２８】
図７（ｂ）、（ｃ）に示すように、本体部７１の下面７１ｄ中央部には、矩形状の開口孔７４が設けられている。この開口孔７４は、本体部７１の上面７１ａ側に向かって延びている。この開口孔７４は、本体部７１の軸方向中央側において、上面７１ａ側から延びる孔部７２に連通している。この開口孔７４に、操作軸２１の角柱状部分が挿入されることによって、操作軸２１は保持部材７０に保持される。
【００２９】
保持部材７０の取り付け方法について説明する。
図２、５、７に示すように、保持部材７０の本体部７１における上面７１ａの周壁７１ｂを、天板部６０の挿通孔６３に挿入する。この際、本体部７１の上面７１ａの四隅の突起７１ｃを、底壁６１ｂの４個の窪み６６に挿入して本体部７１を位置決めする。この状態で、保持部材７０の本体部７１は、底壁６１ｂに設けられた２枚の対向壁６５の間に配置された状態となる。さらに、保持部材７０の各腕部７３の湾曲部７３ａが、ハンドル本体５０の筒体部３１内周に設けられた突出壁３１ａに係止することによって、抜け落ちが抑制された状態で保持部材７０は取り付けられる。
【００３０】
誘導部材８０について説明する。
図８（ａ）、（ｂ）に示すように、誘導部としての誘導部材８０は、横長の長方形状を有する縦壁部８１と、縦壁部８１の下端部に接続するとともに、縦壁部８１に対して交差する方向に延びる横壁部８２とを有する。また、誘導部材８０は、横壁部８２における縦壁部８１側とは反対側の端部に接続するとともに、横壁部８２に対して斜め上方に傾斜する斜壁部８３を有する。斜壁部８３の先端側は先細形状となっている。具体的には、斜壁部８３は、台形状となるように構成されている。縦壁部８１の上端部には、縦壁部８１の厚さ方向であって、横壁部８２が延びる方向とは反対方向に延びた鍵爪部８４が設けられている。鍵爪部８４は、縦壁部８１の長手方向中央側において、所定の間隔をおいて２個設けられている。縦壁部８１、横壁部８２、及び、斜壁部８３の基端側の長さ、すなわち、誘導部材８０の長手方向の長さＴは、水栓本体２０のカバー２２における開口２２ｂの内径Ｓ（図３参照）と同じ長さか、もしくは若干長くなるように構成されている。誘導部材８０の長手方向の長さＴは、水栓本体２０のカバー２２における上端側の端部における外径、すなわち、縮径部２２ａの外径と同じ長さか、もしくは若干長くなるように構成されていることがより好ましい。
【００３１】
図８（ｂ）に示すように、斜壁部８３は、横壁部８２に対する傾斜角度θ１が４２°となっており、縦壁部８１に対する傾斜角度θ２が３１２°となっている。縦壁部８１、横壁部８２及び斜壁部８３が上述のような角度で配置されていることにより、誘導部材８０は、長手方向に直交する断面がＵ字状の溝形状を有したものとなる。ここで、「断面がＵ字状の溝形状」には、上方が開放された溝を有する形状が含まれるものとし、例えば、Ｖ字状や、上方が開放されたコ字状等が含まれるものとする。
【００３２】
誘導部材８０の取り付け方法について説明する。
図２、７、８に示すように、保持部材７０の上面７１ａに誘導部材８０の鍵爪部８４を引掛ける。この状態で、上述のように保持部材７０をハンドル本体５０の天板部６０に取り付けると、天板部６０の凹部６１における底壁６１ｂの下面６１ｄと、保持部材７０の上面７１ａとの隙間に鍵爪部８４が挟持された状態となる。さらに、誘導部材８０の縦壁部８１は、ハンドル本体５０の底壁６１ｂに設けられた対向壁６５の一方と、保持部材７０の本体部７１との間に挟持されて、ハンドル本体５０の筒体部３１の軸方向に沿った状態となる。以上の方法により、誘導部材８０は、抜け落ちが抑制された状態でハンドル本体５０の天板部６０に取り付けられる。さらに、天板部６０の凹部６１の挿通孔６３にネジ４０を挿通させ、保持部材７０に保持された操作軸２１のネジ孔２１ａに螺合させることによって、水栓用ハンドル３０は、誘導部材８０が設けられた状態で水栓本体２０に固定される。この状態において、水抜き孔である貫通孔６４の下方に、誘導部材８０が配置された状態となる。
【００３３】
本実施形態の作用について説明する。
図９、１０に示すように、誘導部材８０が斜壁部８３を有することにより、図中矢印で示すように、貫通孔６４を通過した液体を斜壁部８３で受けることができる。また、斜壁部８３の先端が先細形状であることにより、ハンドル本体５０の筒体部３１の内周に沿って、斜壁部８３を配置することができる。そのため、より確実に液体を受けることが可能になる。さらに、斜壁部８３の先端が斜め上方に傾斜していることにより、水栓用ハンドル３０の操作時に誘導部材８０が水栓本体２０に干渉することが抑制されている。
【００３４】
また、斜壁部８３の傾斜角度θ２が３１２°であることにより、水栓用ハンドル３０のレバー部３２を手前側の下方（図９における下側）に操作しても、斜壁部８３の壁面は、先端側が斜め上方に傾斜した状態が維持される。そのため、斜壁部８３の先端側から水が排出されることが抑制される。すなわち、斜壁部８３の傾斜角度θ２は、水栓用ハンドル３０の傾きに対して、常に先端側が斜め上方に傾斜した状態が維持される角度であることが好ましい。
【００３５】
また、誘導部材８０が、断面がＵ字状の溝形状を有することにより、誘導部材８０で受けた液体をより確実に誘導部材８０の長手方向両端８０ａ側へ誘導することができる。
図１０に示すように、誘導部材８０は、誘導部材８０の長手方向中央側が、水栓本体２０の操作軸２１に近接するように配置されている。そのため、図中矢印で示すように、誘導部材８０で受けた液体が誘導部材８０の長手方向両端８０ａ側へ誘導される方向は、操作軸２１から離れる方向となる。言い換えれば、誘導部材８０は、貫通孔６４を通過した液体を、ハンドル本体５０の外周側に向かって誘導する。誘導部材８０の長手方向の長さＴが、水栓本体２０のカバー２２における上端側の開口２２ｂの内径Ｓと同じ長さか、もしくは若干長いことにより、水栓用ハンドル３０の傾きに関わらず、誘導部材８０の長手方向両端８０ａ側から排出された液体は、水栓本体２０のカバー２２における上端側の開口２２ｂよりも外方に排出されるように構成されている。
【００３６】
本実施形態の効果について説明する。
（１）ハンドル本体５０は、天板部６０の凹部６１における底壁６１ｂの上面６１ｃ側と下面６１ｄ側とを連通する貫通孔６４を有するとともに、底壁６１ｂの下面６１ｄ側には、貫通孔６４を通過した液体を操作軸２１から離れる方向に誘導する誘導部材８０が設けられている。
【００３７】
貫通孔６４を通過した液体を操作軸２１から離れる方向に誘導する誘導部材８０が設けられていることにより、ハンドル本体５０の下方に位置するセラミックカートリッジ２３に液体が浸入することを抑制することができる。したがって、セラミックカートリッジ２３に液体が浸入することによって操作軸２１の操作が重くなることを抑制することができる。
【００３８】
（２）誘導部材８０は、横長に構成され、長手方向に直交する断面がＵ字状の溝形状を有する。したがって、誘導部材８０によって、貫通孔６４を通過した液体をより確実に操作軸２１から離れる方向に誘導することができる。
【００３９】
（３）誘導部材８０は、ハンドル本体５０とは別体で構成されている。したがって、ハンドル本体５０に対して誘導部材８０を後付けすることが可能になるため、誘導部材８０を効率良く設けることができる。
【００４０】
（４）ハンドル本体５０の天板部６０における下面６０ｂ側に着脱可能に取り付けられて操作軸２１を保持する保持部材７０を有し、誘導部材８０は、天板部６０の凹部６１における底壁６１ｂの下面６１ｄと保持部材７０の上面７１ａとの間に挟持されている。したがって、誘導部材８０をハンドル本体５０に容易に取り付けることができる。
【００４１】
（５）従来技術の水栓用ハンドルでは、ネジ孔の周囲に貫通孔が設けられていないため、ネジ孔の周囲に液体が浸入した場合、ネジが液体に浸かった状態となる虞があった。これに対し、本実施形態の水栓用ハンドル３０は、ネジ４０を挿通する挿通孔６３と水抜き孔としての貫通孔６４とが同じ凹部６１内に設けられているため、ネジ４０が液体に浸かった状態となることを抑制することができる。
【００４２】
本実施形態は、以下のように変更して実施することができる。本実施形態及び以下の変更例は、技術的に矛盾しない範囲で互いに組み合わせて実施することができる。
・水栓用ハンドル３０の筒体部３１は、円筒状に限定されない。例えば、角筒状や楕円筒状に構成されていてもよい。同様に、水栓用ハンドル３０の天板部６０も、円板状に限定されず、矩形状や楕円状に構成されていてもよい。
【００４３】
・水栓用ハンドル３０の保持部材７０は、天板部６０の凹部６１における底壁６１ｂに着脱可能に取り付けられた構成に限定されない。例えば、保持部材７０は、天板部６０に一体に形成された保持部として設けられていてもよい。また、保持部材７０は、天板部６０とは別体で形成されたうえで、天板部６０の凹部６１における底壁６１ｂに取り外しができないように接合されていてもよい。
【００４４】
・固定部材はネジ４０に限定されない。ハンドル本体５０を水栓本体２０に固定することができる部材を適宜採用することができる。例えば、操作軸２１の内部に無理嵌め状態で嵌め込まれることによって、ハンドル本体５０を水栓本体２０に固定することができる部材を用いてもよい。
【００４５】
・固定部材を挿通させる挿通孔６３の位置は、天板部６０の凹部６１における底壁６１ｂに限定されない。挿通孔６３の位置は、天板部６０の凹部６１内で適宜選択することができ、例えば、凹部６１の側壁に設けられていてもよい。
【００４６】
・本実施形態では、天板部６０の凹部６１における底壁６１ｂに設けられた貫通孔６４は、蓋部材３３を係合する被係合部としての機能を有していたが、被係合部としての機能を有さなくてもよい。すなわち、天板部６０の凹部６１における底壁６１ｂに、水抜き孔としての貫通孔６４と、蓋部材３３を係合する被係合部としての孔とを個別に設けてもよい。
【００４７】
・蓋部材３３は、省略されていてもよい。
・誘導部材８０を取り付ける箇所は、天板部６０の凹部６１における底壁６１ｂの下面６１ｄと、保持部材７０の上面７１ａとの隙間に限定されない。例えば、接着剤を用いて、ハンドル本体５０の筒体部３１の内周や、天板部６０の底壁６１ｂにおける対向壁６５に接合してもよい。保持部材７０の側面に設けられていてもよい。
【００４８】
・誘導部材８０は、ハンドル本体５０と別体で構成された態様に限定されない。誘導部材８０は、ハンドル本体５０に一体に形成された誘導部として構成されていてもよい。
・誘導部材８０の長手方向の長さＴは、水栓本体２０のカバー２２における上端側の開口２２ｂの内径Ｓより短くてもよい。すなわち、水栓本体２０のカバー２２を軸方向から見て、誘導部材８０がカバー２２の中心から外れた位置に配置されており、誘導部材８０の長手方向両端８０ａが水栓本体２０の開口２２ｂよりも外側に位置する範囲において、誘導部材８０の長手方向の長さＴを開口２２ｂの内径Ｓより短くすることができる。
【００４９】
また、水栓用ハンドル３０を操作して操作軸２１を傾動させると、誘導部材８０も傾斜する。誘導部材８０の傾斜にともない、誘導部材８０の長手方向の端部は、水栓本体２０の開口２２ｂの縁部に近づく方向に移動する。そのため、誘導部材８０が傾斜した状態で、誘導部材８０の長手方向の端部が水栓本体２０の開口２２ｂの外方に位置する範囲においても、誘導部材８０の長手方向の長さＴを開口２２ｂの内径Ｓより短くすることができる。
【００５０】
・誘導部材８０は、縦壁部８１、横壁部８２、斜壁部８３及び鍵爪部８４を有する構成に限定されない。貫通孔６４を通過した液体を受けて、操作軸２１から離れる方向に誘導することができる形状を適宜採用することができる。例えば、横壁部８２が省略されており、縦壁部８１の下端部に斜壁部８３が直接接続された形状であってもよい。縦壁部８１、横壁部８２及び斜壁部８３が湾曲した一つの面で構成されていてもよい。
【００５１】
・本実施形態では、誘導部材８０の斜壁部８３は台形状に構成されていたが、この態様に限定されない。例えば、斜壁部８３は矩形状に構成されていてもよい。また、ハンドル本体５０の筒体部３１の内周に沿うように、先端側が曲線状に構成されていてもよい。
【００５２】
・本実施形態では、誘導部材８０の縦壁部８１は長方形状に構成されていたが、この態様に限定されない。縦壁部８１は、部分的に切欠きが設けられていてもよい。
・図１１に示すように、誘導部材８０は、横壁部８２の両端部に、斜め下方に垂れ下がった矩形状の耳部８５が形成されていてもよい。耳部８５が形成されていることにより、溝形状部分を流通した液体が、液体の表面張力によって誘導部材８０に滞留することを抑制することができる。すなわち、耳部８５が形成されていることにより、液体をスムーズに排出することができる。また、耳部８５を、ハンドル本体５０の筒体部３１の内周に接触させて、筒体部３１の内周を伝って液体が排出されるように構成してもよい。
【００５３】
・図１２に示すように、誘導部材８０は、縦壁部８１の下端部に、斜め下方に傾斜した斜壁部８６が接続されることによって構成されていてもよい。この構成では、図中矢印で示すように、斜壁部８６で受けた液体は、斜壁部８６の傾斜に沿って、操作軸２１から離れる方向に誘導されつつ、斜壁部８６の先端側からも排出されるように構成されている。
【００５４】
・水栓用ハンドル３０のハンドル本体５０は、円筒状の筒体部３１と、天板部６０と、レバー部３２とを有する構成に限定されない。例えば、ハンドル本体５０は、筒体部３１を有してなく、天板部６０と、レバー部３２とで構成されていてもよい。また、ハンドル本体５０は、レバー部３２を有していなくてもよい。すなわち、天板部６０がレバー部３２としての機能を兼ねていれば、レバー部３２を省略することができる。
【符号の説明】
【００５５】
２１…操作軸、３０…水栓用ハンドル、５０…ハンドル本体、６１…凹部、６３…挿通孔、４０…ネジ（固定部材）、６４…貫通孔（水抜き孔）。
【図１】
2020063636.tif 000003
【図２】
2020063636.tif 000004
【図３】
2020063636.tif 000005
【図４】
2020063636.tif 000006
【図５】
2020063636.tif 000007
【図６】
2020063636.tif 000008
【図７】
2020063636.tif 000009
【図８】
2020063636.tif 000010
【図９】
2020063636.tif 000011
【図１０】
2020063636.tif 000012
【図１１】
2020063636.tif 000013
【図１２】
2020063636.tif 000014
【図１３】
2020063636.tif 000015